(57)【特許請求の範囲】
【請求項１】
圧縮機（53）と、吸着剤が担持された吸着熱交換器（51,52）とが接続されると共に冷媒が循環して冷凍サイクルを行う冷媒回路（50）と、上記圧縮機（53）及び吸着熱交換器（51,52）が収容されるケーシング（11）とを備え、上記冷媒回路（50）を流れる冷媒で上記吸着熱交換器（51,52）の吸着剤を加熱又は冷却しながら該吸着熱交換器（51,52）の吸着剤と空気とを接触させて空気を調湿し、調湿後の空気を室内へ供給する調湿装置であって、
上記ケーシング（11）の一側面は、メンテナンス開口部（12a,12b）を開放可能に取り付けられるパネル部（12）を構成し、
上記ケーシング（11）の内部では、上記吸着熱交換器（51,52）の下流側の給気側通路（31）と、上記吸着熱交換器（51,52）の下流側の排気側通路（33）とが上下に区画され、上記給気側通路（31）と排気側通路（33）とは、上記パネル部（12）に対して平行に延びて形成され、
上記ケーシング（11）の内部には、上記圧縮機（53）と、空気を室内へ供給する給気ファン（25）と、空気を室外へ排出する排気ファン（26）とが、上記パネル部（12）に沿って配置され、
上記圧縮機（53）は、上記冷媒回路（50）に継手部材（64,65,66,67）を介して着脱自在に接続されると共に上記メンテナンス開口部（12a）からケーシング（11）の外部へ引き出し可能に構成され、
上記給気ファン（25）及び排気ファン（26）は、軸方向の長さが直径に比べて短い円筒状に形成され且つ軸方向の一端に吸込口（87）を有するファンケーシング（86）を備えた遠心ファンで構成され、
上記給気ファン（25）は、その吸込口（87）が上記給気側通路（31）に対向するように配置され、上記排気ファン（26）は、その吸込口（87）が上記排気側通路（33）に対向するように配置され、
上記給気ファン及び排気ファン（25,26）も、上記メンテナンス開口部（12a）から引き出し可能に構成されていることを特徴とする調湿装置。
【請求項２】
請求項１において、
上記圧縮機（53）を保持すると共に上記メンテナンス開口部（12a）の引き出し方向にスライド自在なスライド部材（113）を備えていることを特徴とする調湿装置。
【請求項３】
請求項１又は２において、
上記ケーシング（11）には、上記メンテナンス開口部（12a）に対して上記収容室（36）よりも奥側に上記吸着熱交換器（51,52）が収容される熱交換器室（37,38）が区画され、
上記継手部材（64,65,66,67）は、上記収容室（36）側に配設されていることを特徴とする調湿装置。
【請求項４】
請求項３において、
上記継手部材（64,65）は、上記圧縮機（53）の吐出管（53a）と吸入管（53b）とにそれぞれ設けられていることを特徴とする調湿装置。
【請求項５】
請求項１乃至４のいずれか１つにおいて、
上記継手部材（64,65）は、上記メンテナンス開口部（12a）に対する圧縮機（53）の背面側端部よりも上記メンテナンス開口部（12a）寄りに配置されていることを特徴とする調湿装置。
【請求項６】
請求項１乃至５のいずれか１つにおいて、
上記給気ファン（26）の吹出口（88）は、上記メンテナンス開口部（12a）側のパネル部（12）を挟んだ両側の側面パネル部（14,15）のうちの一方の側面パネル部（14）に取り付けられ、
上記排気ファン（25）の吹出口（88）は、上記メンテナンス開口部（12a）側のパネル部（12）を挟んだ両側の側面パネル部（14,15）のうちの他方の側面パネル部（15）に取り付けられていることを特徴とする調湿装置。
【発明の詳細な説明】
【技術分野】
【０００１】
本発明は、冷媒回路に接続された吸着熱交換器で空気の湿度調節を行う調湿装置に関するものである。
【背景技術】
【０００２】
従来より、室外空気や室内空気を調湿し、調湿後の空気を室内へ供給する調湿装置が知られている。この種の調湿装置として、特許文献１には、吸着剤が担持された吸着熱交換器を備えた調湿装置が開示されている。
【０００３】
特許文献１の調湿装置は、冷媒が循環して冷凍サイクルが行われる冷媒回路を有している。冷媒回路には、圧縮機と、第１吸着熱交換器と、第２吸着熱交換器と、膨張弁と、四方切換弁とが接続されている。圧縮機は、ケーシング内の所定の収容室に設けられている。また、第１吸着熱交換器と第２吸着熱交換器とは、ケーシング内の第１熱交換器室及び第２吸着熱交換器室にそれぞれ設けられている。
【０００４】
冷媒回路では、第１吸着熱交換器が凝縮器となって第２吸着熱交換器が蒸発器となる動作と、第２吸着熱交換器が凝縮器となって第１吸着熱交換器が蒸発器となる動作とが行われる。蒸発器として動作する吸着熱交換器では、吸着剤に空気中の水分が吸着される。凝縮器として動作する吸着熱交換器では、水分が吸着剤から脱離して空気に付与される。
【０００５】
また、特許文献１の調湿装置は、各吸着熱交換器を通過した空気の一方を室内へ供給して他方を室外へ排出する。例えば、除湿運転中の調湿装置では、第１及び第２の吸着熱交換器のうち蒸発器として動作する方を通過した空気が室内へ供給されて、凝縮器として動作する方を通過した空気が室外へ排出されるように、ケーシング内での空気の流通経路が設定される。この調湿装置では、このような空気の流通経路を複数のダンパの開閉動作によって切り換えるようにしている。具体的に、この調湿装置では、８つのダンパを開閉制御することで各吸着熱交換器を流通する空気の流通経路を変更し、除湿運転や加湿運転等を切り換えている。
【特許文献１】特開２００５−２９１５３２号公報
【発明の開示】
【発明が解決しようとする課題】
【０００６】
特許文献１に開示されている調湿装置において、冷媒回路の圧縮機の交換や修理等のメンテナンスを行うことが想定される。ところが、この種の調湿装置では、例えば天井裏等に設置されることが多く、また、上記２つの吸着熱交換器が収容するための熱交換器室や、複数の空気通路を有することから、圧縮機のメンテナンスが煩雑となり易い。従って、圧縮機のメンテナンスの簡便化が望まれる。
【０００７】
本発明は、かかる点に鑑みてなされたものであり、その目的は、吸着熱交換器が接続された冷媒回路を備えた調湿装置において、冷媒回路に接続される圧縮機を容易にメンテナンスできるようにすることである。
【課題を解決するための手段】
【０００８】
第１の発明は、圧縮機（53）と、吸着剤が担持された吸着熱交換器（51,52）とが接続されると共に冷媒が循環して冷凍サイクルを行う冷媒回路（50）と、上記圧縮機（53）及び吸着熱交換器（51,52）が収容されるケーシング（11）とを備え、上記冷媒回路（50）を流れる冷媒で上記吸着熱交換器（51,52）の吸着剤を加熱又は冷却しながら該吸着熱交換器（51,52）の吸着剤と空気とを接触させて空気を調湿し、調湿後の空気を室内へ供給する調湿装置であって、上記ケーシング（11）の一側面は、メンテナンス開口部（12a,12b）を開放可能に取り付けられるパネル部（12）を構成し、上記ケーシング（11）の内部では、上記吸着熱交換器（51,52）の下流側の給気側通路（31）と、上記吸着熱交換器（51,52）の下流側の排気側通路（33）とが上下に区画され、上記給気側通路（31）と排気側通路（33）とは、上記パネル部（12）に対して平行に延びて形成され、上記ケーシング（11）の内部には、上記圧縮機（53）と、空気を室内へ供給する給気ファン（25）と、空気を室外へ排出する排気ファン（26）とが、上記パネル部（12）に沿って配置され、上記圧縮機（53）は、上記冷媒回路（50）に継手部材（64,65,66,67）を介して着脱自在に接続されると共に上記メンテナンス開口部（12a）からケーシング（11）の外部へ引き出し可能に構成され、上記給気ファン（25）及び排気ファン（26）は、軸方向の長さが直径に比べて短い円筒状に形成され且つ軸方向の一端に吸込口（87）を有するファンケーシング（86）を備えた遠心ファンで構成され、上記給気ファン（25）は、その吸込口（87）が上記給気側通路（31）に対向するように配置され、上記排気ファン（26）は、その吸込口（87）が上記排気側通路（33）に対向するように配置され、上記給気ファン及び排気ファン（25,26）も、上記メンテナンス開口部（12a）から引き出し可能に構成されていることを特徴とするものである。
【０００９】
第１の発明では、ケーシング（11）内に吸着熱交換器（51,52）が収納される。冷媒回路（50）では、圧縮機（53）で冷媒が圧縮されながら冷媒が循環して冷凍サイクルが行われることで、吸着熱交換器（51,52）が蒸発器や凝縮器となる動作が行われる。例えば蒸発器となる吸着熱交換器（51,52）では、冷媒によって吸着剤が冷却される。この状態の吸着熱交換器（51,52）の吸着剤に空気が接触すると、空気中の水分が吸着剤に吸着され、この際に生じる吸着熱が冷媒の蒸発熱として利用される。このようにして水分が吸着された空気が室内へ供給されることで、室内の除湿が行われる。また、例えば凝縮器となる吸着熱交換器（52,51）では、冷媒によって吸着剤が加熱される。この状態の吸着熱交換器（52,51）の吸着剤に空気が接触すると、吸着剤から脱離（脱着）した水分が空気中へ付与される。このようにして水分が付与された空気が室内へ供給されることで、室内の加湿が行われる。
【００１０】
本発明のケーシング（11）では、ケーシング（11）の側面を開放可能とするメンテナンス開口部（12a）が形成される。また、ケーシング（11）内には、メンテナンス開口部（12a）に臨むように圧縮機（53）が設けられる。メンテナンス業者等が圧縮機（53）のメンテナンスを行う際には、まず、継手部材（64,65,66,67）による圧縮機（53）と冷媒回路（50）の接続を解除し、圧縮機（53）を冷媒回路（50）から切り離す。この状態の圧縮機（53）をメンテナンス開口部（12a）を通じてケーシング（11）の外部へ引き出すことで、圧縮機（53）を機外へ取り外すことができる。その後、圧縮機（53）の修理や交換等のメンテナンスを行った後、圧縮機（53）を元の位置に戻し、圧縮機（53）を継手部材（64,65,66,67）を介して冷媒回路（50）に接続する。これにより、調湿装置の運転が再開可能となる。
【００１１】
本発明では、吸着熱交換器（51,52）へ空気を送るための送風ファン（25,26）もケーシング（11）内に収容される。つまり、本発明では、上記圧縮機（53）及び送風ファン（25,26）が、同一のメンテナンス開口部（12a）側から引き出し可能となっている。従って、ケーシング（11）の周囲のメンテナンス用の作業スペースを必要最小限に抑えることができる。
【００１２】
第２の発明では、スライド部材（113）によって圧縮機（53）が保持される。メンテナンス業者等が圧縮機（53）のメンテナンスを行う際には、スライド部材（113）をメンテナンス開口部（12a）側へスライドさせる。その結果、圧縮機（53）がスライド部材（113）と共にケーシング（11）の外部へ引き出される。その後、圧縮機（53）のメンテナンスを行った後、スライド部材（113）を圧縮機（53）と共にメンテナンス開口部（12a）の奥側へ押し込み、圧縮機（53）を元の状態に戻す。これにより、調湿装置の運転が再開可能となる。
【００１３】
第３の発明は、第１又は第２の発明の調湿装置において、上記ケーシング（11）には、上記メンテナンス開口部（12a）に対して上記収容室（36）よりも奥側に上記吸着熱交換器（51,52）が収容される熱交換器室（37,38）が区画 され、上記継手部材（64,65,66,67）は、上記収容室（36）側に配設されていることを特徴とするものである。
【００１４】
第３の発明では、ケーシング（11）における収容室（36）の奥側に熱交換器室（37,38）が区画され、この熱交換器室（37,38）に吸着熱交換器（51,52）が収容される。従って、圧縮機（53）を引き出す際には、メンテナンス開口部（12a）に対して吸着熱交換器（51,52）が干渉してしまうことがない。また、圧縮機（53）を冷媒回路（50）から切り離すための継手部材（64,65,66,67）は、収容室（36）に配設される。従って、メンテナンス業者等は、メンテナンス開口部（12a）側から継手部材（64,65,66,67）の連結作業や、この継手部材（64,65,66,67）の連結の解除作業を容易に行うことができる。
【００１５】
第４の発明は、第３の発明の調湿装置において、上記継手部材（64,65）は、上記圧縮機（53）の吐出管（53a）と吸入管（53b）とにそれぞれ設けられていることを特徴とするものである。
【００１６】
第４の発明では、圧縮機（53）の吐出管（53a）と吸入管（53b）とにそれぞれ継手部材（64,65）が設けられる。メンテナンス業者等は、メンテナンス開口部（12a）側から吐出管（53a）及び吸入管（53b）の継手部材（64,65）の連結を解除する。その結果、圧縮機（53）は、吐出管（53a）及び吸入管（53b）と一体的に冷媒回路（50）から切り離されることになる。この状態で、圧縮機（53）、吐出管（53a）、及び吸入管（53b）をケーシング（11）の外部へ引き出すことで、残りの冷媒配管を機内に残したまま圧縮機（53）のメンテナンスを行うことができる。
【００１７】
第５の発明は、第１乃至第４のいずれか１つの発明の調湿装置において、上記継手部材（64,65,66,67）は、上記メンテナンス開口部（12a）に対する圧縮機（53）の背面側端部よりも上記メンテナンス開口部（12a）寄りに配置されていることを特徴とするものである。
【００１８】
第５の発明では、収容室（36）において、継手部材（64,65,66,67）がメンテナンス開口部（12a）に比較的近い位置に配置される。従って、作業者等は、メンテナンス開口部（12a）側から継手部材（64,65,66,67）の連結や解除作業を容易に行うことができる。
【００１９】
第６の発明では、第１乃至第５のいずれか１つの発明において、上記給気ファン（26）の吹出口（88）は、上記メンテナンス開口部（12a）側のパネル部（12）を挟んだ両側の側面パネル部（14,15）のうちの一方の側面パネル部（14）に取り付けられ、上記排気ファン（25）の吹出口（88）は、上記メンテナンス開口部（12a）側のパネル部（12）を挟んだ両側の側面パネル部（14,15）のうちの他方の側面パネル部（15）に取り付けられていることを特徴とする。
【発明の効果】
【００２０】
本発明では、ケーシング（11）のメンテナンス開口部（12a）に臨む収容室（36）に圧縮機（53）を設けると共に、この圧縮機（53）をメンテナンス開口部（12a）からケーシング（11）の外部へ引き出し可能に構成している。これにより、本発明によれば、継手部材（64,65,66,67）の連結を解除して圧縮機（53）を冷媒回路（50）から切り離した後、この圧縮機（53）をメンテナンス開口部（12a）を通じてケーシング（11）の外部へ容易に取り出すことができる。従って、圧縮機（53）の交換や修理等を簡便に行うことができ、この調湿装置のメンテナンス性を向上できる。
【００２１】
また、本発明によれば、圧縮機（53）と送風ファン（25,26）とを同一のメンテナンス開口部（12a）側から引き出せるようにしたので、これらの構成機器のメンテナンス用スペースを最小限に抑えることができ、且つ調湿装置の設置位置の自由度を向上できる。
【００２２】
特に、第２の発明では、スライド部材（113）に圧縮機（53）を保持させるようにし、スライド部材（113）を圧縮機（53）の引き出し方向にスライド自在としている。このため、圧縮機（53）を持ち上げることなく、スライド部材（113）をメンテナンス開口部（12a）側にスライドさせて圧縮機（53）を機外へ取り出すことができる。従って、比較的大重量の圧縮機（53）であっても、ケーシング（11）の外部への取り出しやケーシング（11）内への入れ込みを容易に行うことができる。
【００２３】
また、第３の発明では、メンテナンス開口部（12a）に対して奥側に熱交換器室（37,38）を区画してこの熱交換器室（37,38）に吸着熱交換器（51,52）を収容させる一方、メンテナンス開口部（12a）に対して手前側に収容室（36）を区画してこの収容室（36）に圧縮機（53）を設けている。従って、吸着熱交換器（51,52）の干渉を受けることなく、圧縮機（53）をメンテナンス開口部（12a）側へ引き出すことができる。また、本発明では、継手部材（64,65,66,67）を収容室（36）側に配置するようにしたので、メンテナンス開口部（12a）側から継手部材（64,65,66,67）の着脱作業を容易に行うことができる。
【００２４】
更に、第４の発明では、圧縮機（53）の吐出管（53a）及び吸入管（53b）に継手部材（64,65）を設けるようにしたので、これらの吐出管（53a）及び吸入管（53b）以外の冷媒配管を機内に残したまま圧縮機（53）をケーシング（11）の外部へ取り出すことができる。従って、圧縮機（53）の引き出しに要するスペースを小さくでき、且つ圧縮機（53）と共に引き出される冷媒配管の重量も最低限に抑えることができる。その結果、調湿装置のメンテナンス性を更に向上できる。
【００２５】
また、第５の発明によれば、継手部材（64,65,66,67）を圧縮機（53）の背面側端部よりもメンテナンス開口部（12a）寄りに配置したので、メンテナンス開口部（12a）側から継手部材（64,65,66,67）の着脱作業を容易に行うことができ、調湿装置のメンテナンス性が更に向上できる。
【発明を実施するための最良の形態】
【００２６】
以下、本発明の実施形態を図面に基づいて詳細に説明する。本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００２７】
〈調湿装置の全体構成〉
調湿装置（10）について、図１〜図５を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００２８】
調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００２９】
ケーシング（11）は、やや扁平で高さが比較的低い直方体状に形成されている。このケーシング（11）は、その左右方向の幅が奥行きよりも幾分長くなっている（図３を参照）。ケーシング（11）では、図１における左手前の側面（即ち、前面）を形成する部分が前面パネル部（12）となり、同図における右奥の側面（即ち、背面）を形成する部分が背面パネル部（13）となっている。また、このケーシング（11）では、同図における右手前の側面を形成する部分が第１側面パネル部（14）となり、同図における左奥の側面を形成する部分が第２側面パネル部（15）となっている。ケーシング（11）では、前面パネル部（12）と背面パネル部（13）とが互いに対向し、第１側面パネル部（14）と第２側面パネル部（15）とが互いに対向している。
【００３０】
ケーシング（11）には、外気吸込口（24）と、内気吸込口（23）と、給気口（22）と、排気口（21）とが形成されている。
【００３１】
外気吸込口（24）及び内気吸込口（23）は、背面パネル部（13）に開口している（図３，図４を参照）。外気吸込口（24）は、背面パネル部（13）の下側部分に配置されている。また、外気吸込口（24）は、背面パネル部（13）の左右幅方向の中央から第２側面パネル部（15）側へオフセットした位置に設けられている。内気吸込口（23）は、背面パネル部（13）の上側部分に配置されている。また、内気吸込口（23）は、背面パネル部（13）の左右幅方向の中央から第１側面パネル部（14）側へオフセットした位置に設けられている。
【００３２】
給気口（22）は、第１側面パネル部（14）における前面パネル部（12）側の端部付近に配置されている。排気口（21）は、第２側面パネル部（15）における前面パネル部（12）側の端部付近に配置されている。
【００３３】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００３４】
上流側仕切板（71）及び下流側仕切板（72）は、前面パネル部（12）及び背面パネル部（13）と平行に配置されている。ケーシング（11）の内部空間において、上流側仕切板（71）は背面パネル部（13）寄りに配置され、下流側仕切板（72）は前面パネル部（12）寄りに配置されている。
【００３５】
上流側仕切板（71）の左右方向の幅は、ケーシング（11）の左右方向の幅よりも短くなっている。上流側仕切板（71）の右端部は、第１側面パネル部（14）に接合されている。一方、上流側仕切板（71）の左端部と第２側面パネル部（15）との間には、隙間が形成されている。
【００３６】
下流側仕切板（72）の左右方向の幅は、上流側仕切板（71）の左右方向の幅よりも短くなっている。下流側仕切板（72）の右端部と第１側面パネル部（14）との間には、隙間が形成されている。また、下流側仕切板（72）の左端部と第２側面パネル部（15）との間にも、隙間が形成されている。
【００３７】
第１仕切板（74）は、上流側仕切板（71）と下流側仕切板（72）の間の空間を右側から塞ぐように配置されている。具体的に、第１仕切板（74）は、第１側面パネル部（14）と平行となり、且つ上流側仕切板（71）及び下流側仕切板（72）と直交する姿勢で配置されている。第１仕切板（74）の前端部は、上流側仕切板（71）の右端部に接合されている。第１仕切板（74）の後端部は、下流側仕切板（72）に接合されている。
【００３８】
第２仕切板（75）は、上流側仕切板（71）と下流側仕切板（72）の間の空間を左側から塞ぐように配置されている。具体的に、第２仕切板（75）は、第２側面パネル部（15）と平行となり、且つ上流側仕切板（71）及び下流側仕切板（72）と直交する姿勢で配置されている。第２仕切板（75）の前端部は、下流側仕切板（72）の左端部に接合されている。第２仕切板（75）の後端部は、背面パネル部（13）に接合されている。また、この第２仕切板（75）には、上流側仕切板（71）の左端部が接合されている。
【００３９】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。また、中央仕切板（73）は、上流側仕切板（71）及び下流側仕切板（72）の左右幅方向の中央よりも第２側面パネル部（15）側へ幾分寄った位置に設けられている。
【００４０】
ケーシング（11）の内部空間には、内外通路仕切板（70）も形成されている（図２，図４，図５を参照）。内外通路仕切板（70）は、上流側仕切板（71）及び背面パネル部（13）と直交するような水平な姿勢で、上流側仕切板（71）と背面パネル部（13）の間に配置されている。そして、内外通路仕切板（70）は、上流側仕切板（71）と背面パネル部（13）の間の空間を上下２つの空間に仕切っている。上下に仕切られたこの空間は、上側の空間が内気側通路（32）を構成し、下側の空間が外気側通路（34）を構成している。つまり、内外通路仕切板（70）は、内気側通路（32）と外気側通路（34）とを区画形成するように両通路（32,34）に介設する仕切板を構成している。
【００４１】
外気側通路（34）は、外気吸込口（24）に接続するダクトを介して室外空間と連通している。つまり、外気側通路（34）は、ケーシング（11）内に取り込まれる室外空気が流れる第１空気通路を構成している。外気側通路（34）には、空気から塵埃等を除去するための外気側フィルタ（28）が設けられている。外気側フィルタ（28）は、長辺が左右幅方向へ延びる長方形板状に形成され、外気側通路（34）を横断する姿勢で立設されている。外気側通路（34）は、この外気側フィルタ（28）によって前後に区画されている。外気側通路（34）における外気側フィルタ（28）の前側（下流側）の部分には、外気側通路（34）を流れる室外空気の湿度を検知する外気湿度センサ（97）が収容されている（図２参照）。
【００４２】
内気側通路（32）は、内気吸込口（23）に接続するダクトを介して室内と連通している。つまり、内気側通路（32）は、ケーシング（11）内に取り込まれる室内空気が流れる第２空気通路を構成している。内気側通路（32）には、空気から塵埃等を除去するための内気側フィルタ（27）が設けられている。内気側フィルタ（27）は、長辺が左右幅方向へ延びる長方形板状に形成され、内気側通路（32）を横断する姿勢で立設されている。内気側通路（32）は、この内気側フィルタ（27）によって前後に区画されている。内気側通路（32）における内気側フィルタ（27）の前側（下流側）の部分には、内気側通路（32）を流れる室内空気の湿度を検知する内気湿度センサ（96）が収容されている（図４参照）。上記外気湿度センサ（97）及び内気湿度センサ（96）で検知した湿度は、調湿装置（10）の調節能力の制御に利用される。
【００４３】
上述したように、ケーシング（11）内における上流側仕切板（71）と下流側仕切板（72）の間の空間は、中央仕切板（73）によって左右に区画されている。左右に仕切られたこの空間は、中央仕切板（73）の右側の空間が第１熱交換器室（37）を構成し、中央仕切板（73）の左側の空間が第２熱交換器室（38）を構成している（図１，図３を参照）。
【００４４】
第１熱交換器室（37）には、第１吸着熱交換器（51）が収容されている。第２熱交換器室（38）には、第２吸着熱交換器（52）が収容されている。各吸着熱交換器（51,52）は、全体として長方形の厚板状あるいは扁平な直方体状に形成されている。吸着熱交換器（51,52）の詳細は後述する。
【００４５】
吸着熱交換器（51,52）は、その前面及び背面が上流側仕切板（71）及び下流側仕切板（72）と平行になる姿勢で、熱交換器室（37,38）内に立設されている。つまり、吸着熱交換器（51,52）は、熱交換器室（37,38）を横断する姿勢で設置されている。各熱交換器室（37,38）は、吸着熱交換器（51,52）によって前後に区画されている。各熱交換器室（37,38）において、吸着熱交換器（51,52）は、熱交換器室（37,38）の前後方向の中央よりも上流側仕切板（71）寄りに配置されている。また、各吸着熱交換器（51,52）は、左右幅方向に概ね一直線上に並んで配置されている。
【００４６】
第１吸着熱交換器（51）及び第２吸着熱交換器（52）は、何れもクロスフィン型のフィン・アンド・チューブ熱交換器によって構成されている。各吸着熱交換器（51,52）は、室外空気（OA）や室内空気（RA）の調湿を行う調湿手段を構成している。これら吸着熱交換器（51,52）は、銅製の伝熱管とアルミニウム製のフィンとを備えている。吸着熱交換器（51,52）に設けられた複数のフィンは、それぞれが長方形板状に形成され、一定の間隔で並べられている。各吸着熱交換器（51,52）では、各フィンの表面に吸着剤が担持されており、フィンの間を通過する空気がフィンに担持された吸着剤と接触する。この吸着剤としては、ゼオライト、シリカゲル、活性炭、親水性の官能基を有する有機高分子材料など、空気中の水蒸気を吸着できるものが用いられる。
【００４７】
各吸着熱交換器（51,52）には、液側分流器（61）とガス側ヘッダ（62）とが設けられている。第１吸着熱交換器（51）は、液側分流器（61）及びガス側ヘッダ（62）を含む全体が第１熱交換器室（37）に収容されている。一方、第２吸着熱交換器（52）は、全てのフィンを含む大部分が第２熱交換器室（38）に収容されるものの、その一部分が中央仕切板（73）を貫通して第１熱交換器室（37）に露出している。具体的に、第２吸着熱交換器（52）は、それに付属する液側分流器（61）及びガス側ヘッダ（62）が第１熱交換器室（37）内に位置している。また、第２吸着熱交換器（52）は、液側分流器（61）及びガス側ヘッダ（62）が接続する端部側に位置するＵ字管部も、第１熱交換器室（37）内に露出している。また、第１熱交換器室（37）には、冷媒回路（50）の電動膨張弁（55）が収容されている。
【００４８】
ケーシング（11）の内部空間では、下流側仕切板（72）の前面に沿った部分が上下に仕切られている（図２，図３，図５を参照）。上下に仕切られたこの空間は、上側の空間が給気側通路（31）を構成し、下側の空間が排気側通路（33）を構成している。
【００４９】
上流側仕切板（71）には、開閉式のダンパ（41〜44）が４つ設けられている（図３，図５を参照）。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００５０】
第１内気側ダンパ（41）を開閉すると、内気側通路（32）と第１熱交換器室（37）の間が断続される。第２内気側ダンパ（42）を開閉すると、内気側通路（32）と第２熱交換器室（38）の間が断続される。第１外気側ダンパ（43）を開閉すると、外気側通路（34）と第１熱交換器室（37）の間が断続される。第２外気側ダンパ（44）を開閉すると、外気側通路（34）と第２熱交換器室（38）の間が断続される。
【００５１】
上流側仕切板（71）において、第１外気側ダンパ（43）は、第１内気側ダンパ（41）の真下に配置されている。第１内気側ダンパ（41）及び第１外気側ダンパ（43）は、それぞれの左右幅方向の中央が第１熱交換器室（37）の左右幅方向の中央よりも中央仕切板（73）寄り（即ち、第２側面パネル部（15）寄り）となる位置に設置されている（図３を参照）。
【００５２】
また、上流側仕切板（71）において、第２外気側ダンパ（44）は、第２内気側ダンパ（42）の真下に配置されている。第２内気側ダンパ（42）及び第２外気側ダンパ（44）は、それぞれの左右幅方向の中央が第２熱交換器室（38）の左右幅方向の中央よりも中央仕切板（73）寄り（即ち、第１側面パネル部（14）寄り）となる位置に設置されている（図３を参照）。
【００５３】
下流側仕切板（72）には、開閉式のダンパ（45〜48）が４つ設けられている（図３，図５を参照）。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００５４】
第１給気側ダンパ（45）を開閉すると、給気側通路（31）と第１熱交換器室（37）の間が断続される。第２給気側ダンパ（46）を開閉すると、給気側通路（31）と第２熱交換器室（38）の間が断続される。第１排気側ダンパ（47）を開閉すると、排気側通路（33）と第１熱交換器室（37）の間が断続される。第２排気側ダンパ（48）を開閉すると、排気側通路（33）と第２熱交換器室（38）の間が断続される。
【００５５】
下流側仕切板（72）において、第１排気側ダンパ（47）は、第１給気側ダンパ（45）の真下に配置されている。第１給気側ダンパ（45）及び第１排気側ダンパ（47）は、それぞれの左右幅方向の中央が第１熱交換器室（37）の左右幅方向の中央よりも中央仕切板（73）寄り（即ち、第２側面パネル部（15）寄り）となる位置に設置されている（図３を参照）。
【００５６】
また、下流側仕切板（72）において、第２排気側ダンパ（48）は、第２給気側ダンパ（46）の真下に配置されている。第２排気側ダンパ（48）及び第２給気側ダンパ（46）は、それぞれの左右幅方向の中央が第２熱交換器室（38）の左右幅方向の中央よりも中央仕切板（73）寄り（即ち、第１側面パネル部（14）寄り）となる位置に設置されている（図３を参照）。
【００５７】
ケーシング（11）内では、給気側通路（31）及び排気側通路（33）と前面パネル部（12）との間の空間が、給排気仕切板（77）によって左右に仕切られている。この左右に仕切られた空間は、給排気仕切板（77）の右側の空間が給気ファン室（36）を構成し、給排気仕切板（77）の左側の空間が排気ファン室（35）を構成している。この給排気仕切板（77）は、中央仕切板（73）よりも更に第２側面パネル部（15）寄りに立設されている。給気ファン室（36）及び排気ファン室（35）は、何れもケーシング（11）の底板から天板に亘る空間である。
【００５８】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。これらの給気ファン（26）及び排気ファン（25）は、ケーシング（11）内に空気を取り込み、取り込んだ空気を上記吸着熱交換器（51,52）に送るための送風手段を構成している。
【００５９】
具体的に、これらのファン（25,26）は、ファンロータと、ファンケーシング（86）と、ファンモータ（89）とを備えている。図示しないが、ファンロータは、その軸方向の長さが直径に比べて短い円筒状に形成され、その周側面に多数の翼が形成されている。ファンロータは、ファンケーシング（86）に収容されている。ファンケーシング（86）では、その側面（ファンロータの軸方向と直交する側面）の一方に吸入口（87）が開口している。また、ファンケーシング（86）には、その周側面から外側へ突出する部分が形成されており、その部分の突端に吹出口（88）が開口している。ファンモータ（89）は、ファンケーシング（86）における吸入口（87）と反対側の側面に取り付けられている。ファンモータ（89）は、ファンロータに連結されてファンロータを回転駆動する。
【００６０】
給気ファン室（36）において、給気ファン（26）は、ファンケーシング（86）の吸入口（87）が下流側仕切板（72）と対面する姿勢で設置されている。また、この給気ファン（26）のファンケーシング（86）の吹出口（88）は、給気口（22）に連通する状態で第１側面パネル部（14）に取り付けられている。
【００６１】
排気ファン室（35）において、排気ファン（25）は、ファンケーシング（86）の吸入口（87）が下流側仕切板（72）と対面する姿勢で設置されている。また、この排気ファン（25）のファンケーシング（86）の吹出口（88）は、排気口（21）に連通する状態で第２側面パネル部（15）に取り付けられている。
【００６２】
給気ファン（26）及び排気ファン（25）において、ファンロータがファンモータ（89）によって回転駆動されると、吸入口（87）を通ってファンケーシング（86）内へ空気が吸い込まれ、ファンケーシング（86）内の空気が吹出口（88）から吹き出される。給気ファン（26）及び排気ファン（25）の取付構造の詳細は後述する。
【００６３】
給気ファン室（36）には、冷媒回路（50）の圧縮機（53）と四方切換弁（54）とが収容されている。圧縮機（53）及び四方切換弁（54）は、給気ファン室（36）における給気ファン（26）と給排気仕切板（77）との間に配置されている。圧縮機（53）及びこの圧縮機（53）の周囲の冷媒配管の取付構造についての詳細は後述する。
【００６４】
ケーシング（11）内において、第１仕切板（74）と第１側面パネル部（14）の間の空間は、第１バイパス通路（81）を構成している（図２，図３を参照）。また、ケーシング（11）内において、第２仕切板（75）と第２側面パネル部（15）の間の空間は、第２バイパス通路（82）を構成している（図３，図４を参照）。第１バイパス通路（81）及び第２バイパス通路（82）は、ケーシング（11）の底板から天板に亘る空間である。第１バイパス通路（81）の通路幅は、第２バイパス通路（82）の通路幅よりも長くなっている。
【００６５】
第１バイパス通路（81）の始端（背面パネル部（13）側の端部）は、外気側通路（34）だけに連通しており、内気側通路（32）からは遮断されている。この第１バイパス通路（81）は、外気側通路（34）における外気側フィルタ（28）の下流側部分と連通している。第１バイパス通路（81）の終端（前面パネル部（12）側の端部）は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。第１バイパス用ダンパ（83）は、概ね縦長の長方形状に形成されている。第１バイパス用ダンパ（83）を開閉すると、第１バイパス通路（81）と給気ファン室（36）との間が断続される。
【００６６】
第２バイパス通路（82）の始端（背面パネル部（13）側の端部）は、内気側通路（32）だけに連通しており、外気側通路（34）からは遮断されている。この第２バイパス通路（82）は、第２仕切板（75）に形成された連通口（76）を介して、内気側通路（32）における内気側フィルタ（27）の下流側部分と連通している。第２バイパス通路（82）の終端（前面パネル部（12）側の端部）は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。第２バイパス用ダンパ（84）は、概ね縦長の長方形状に形成されている。第２バイパス用ダンパ（84）を開閉すると、第２バイパス通路（82）と排気ファン室（35）との間が断続される。
【００６７】
なお、図５の右側面図及び左側面図では、第１バイパス通路（81）、第２バイパス通路（82）、第１バイパス用ダンパ（83）、及び第２バイパス用ダンパ（84）の図示を省略している。
【００６８】
ケーシング（11）では、その４つの側面のうちの連続する２つの側面にメンテナンス用の開口部が形成されている。具体的に、ケーシング（11）では、第１側面パネル部（14）と前面パネル部（12）とにそれぞれ開口部が形成されている。
【００６９】
第１側面パネル部（14）には、第１開口部（14a）と第２開口部（14b）とが構成されている。第１開口部（14a）は、内気側通路（32）及び外気側通路（34）に臨むように開口し、第２開口部（14b）は、第１バイパス通路（81）に臨むように開口している（図２を参照）。第１開口部（14a）には、第１開閉パネル（16）が着脱自在に取り付けられ、第２開口部（14b）には、第２開閉パネル（17）が着脱自在に取り付けられている（図１，図３，図４を参照）。
【００７０】
前面パネル部（12）には、第３開口部（12a）と第４開口部（12b）とが構成されている。第３開口部（12a）は、給気ファン室（36）に臨むように開口し、第４開口部（12b）は、排気ファン室（35）に臨むように開口している（図２を参照）。第３開口部（12a）には、第３開閉パネル（18）が着脱自在に取り付けられ、第４開口部（12b）には、第４開閉パネル（19）が着脱自在に取り付けられている（図１，図３，図４を参照）。給気ファン室（36）は、メンテナンス開口部を構成する第３開口部（12a）に臨むように区画されて圧縮機（53）が収容される収容室を構成している。
【００７１】
また、第３開閉パネル（18）の外側には電装品箱（90）が取り付けられている。なお、図２及び図５において、電装品箱（90）は省略されている。電装品箱（90）は、直方体状の箱であって、その内部に制御用基板（91）と電源用基板（92）とが収容されている。制御用基板（91）及び電源用基板（92）は、電装品箱（90）の側板のうち前面パネル部（12）に隣接するもの（即ち、背面板）の内側面に取り付けられている。電源用基板（92）のインバータ部には、放熱フィン（93）が設けられている。この放熱フィン（93）は、電源用基板（92）の背面に突設されており、電装品箱（90）の背面板とケーシング（11）の前面パネル部（12）とを貫通して給気ファン室（36）に露出している（図３，図４を参照）。
【００７２】
ケーシング（11）内において、圧縮機（53）、ファン（25,26）、ダンパ（41〜48）、湿度センサ（96,97）等に接続するリード線は、電装品箱（90）の内部へと延びている。そのうち、上流側仕切板（71）に取り付けられたダンパ（41〜44）の駆動モータに接続するリード線や、湿度センサ（96,97）に接続するリード線は、第１バイパス通路（81）を通って電装品箱（90）へと延びている。
【００７３】
〈冷媒回路の構成〉
上記冷媒回路（50）について、図６を参照しながら説明する。
【００７４】
上記冷媒回路（50）は、第１吸着熱交換器（51）、第２吸着熱交換器（52）、圧縮機（53）、四方切換弁（54）、電動膨張弁（55）、及びアキュムレータ（56）が設けられた閉回路である。この冷媒回路（50）は、充填された冷媒を循環させることによって、蒸気圧縮冷凍サイクルを行う。
【００７５】
上記冷媒回路（50）において、圧縮機（53）は、その吐出管（53a）が四方切換弁（54）の第１のポートに、その吸入管（53b）が四方切換弁（54）の第２のポートにそれぞれ接続されている。また、圧縮機（53）の吸入管（53b）には、アキュムレータ（56）が接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００７６】
上記四方切換弁（54）は、第１のポートと第３のポートが連通して第２のポートと第４のポートが連通する第１状態（図６(Ａ)に示す状態）と、第１のポートと第４のポートが連通して第２のポートと第３のポートが連通する第２状態（図６(Ｂ)に示す状態）とに切り換え可能となっている。
【００７７】
また、冷媒回路（50）には、少なくとも４つのフレア継手（64,65,66,67）と２つのサービスポート（68,69）とが設けられている。具体的に、冷媒回路（50）では、圧縮機（53）の吐出管（53a）に第１フレア継手（64）が設けられ、圧縮機（53）の吸入管（53b）におけるアキュムレータ（56）の流入側に第２フレア継手（65）が設けられている。また、冷媒回路（50）では、四方切換弁（54）の第３ポートと第１吸着熱交換器（51）との間に第３フレア継手（66）が設けられ、四方切換弁（54）の第４ポートと第２吸着熱交換器（52）との間に第４フレア継手（67）が設けられている。各フレア継手（64,65,66,66）は、雄ネジ部及び該雄ネジ部の先端に形成されるテーパ状の外周面を有する継手本体と、継手本体に螺合する雌ネジ及び上記テーパ外周面と密着するテーパ状の内周面を有するフレアナットとで構成されている。
【００７８】
また、冷媒回路（50）では、四方切換弁（54）の第３ポートと第３フレア継手（66）との間に第１サービスポート（68）が設けられ、四方切換弁（54）の第４ポートと第４フレア継手（67）との間に第２サービスポート（69）が設けられている。各サービスポート（68,69）は、冷媒の充填や回収、気密試験用の窒素ガスの注入等を行うためのチャージポートを構成している。また、各サービスポート（68,69）は、冷媒回路（50）からサービスポート（68,69）側に向かう冷媒の流出を禁止する逆止弁式のポートを構成している。
【００７９】
本実施形態の調湿装置（10）では、冷媒回路（50）が熱媒回路を構成する。この冷媒回路（50）では、２つの吸着熱交換器（51,52）のうち凝縮器として動作する方に高圧のガス冷媒が加熱用の熱媒流体として供給され、蒸発器として動作する方に低圧の気液二相冷媒が冷却用の熱媒流体として供給される。
【００８０】
〈給気ファン及び排気ファンの取付構造〉
図７及び図８に示すように、給気ファン（26）及び排気ファン（25）のファンケーシング（86）には、一対の縦板部材（86a,86a）と、各縦板部材（86a,86a）の下端に接続する支持板（86b）とが設けられている。
【００８１】
一対の縦板部材（86a,86a）は、ファンモータ（89）を側方から挟むように上下に延びる板状に形成されている。支持板（86b）は、その前後の側辺が長辺となる略長方形の板状に形成されている。支持板（86b）は、その左右の長さが一対の縦板部材（86a,86a）の間隔よりも大きくなっており、且つその前後の長さが縦板部材（86a,86a）の前後の長さよりも大きくなっている。縦板部材（86a,86a）は、支持板（86b）の後側寄りで、且つ支持板（86b）の左右端部よりも内側寄りに位置しながら支持板（86b）と連接している。つまり、支持板（86b）は、縦板部材（86a,86a）に対して前面パネル部（12）側及び左右外側に延出するように構成されている。
【００８２】
また、給気ファン（26）及び排気ファン（25）のファンケーシング（86）には、吹出口（88）側の側縁に曲板部（86c）がそれぞれ形成されている。各曲板部（86c）は、ファンケーシング（86）における前面パネル部（12）側の側壁と一体的に連接し、この側壁から前面パネル部（12）側に向かって折り曲げられて構成されている。曲板部（86c）は、吹出口（88）の上下に亘って延びる縦長の板状に形成されている。 
【００８３】
図７に示すように、給気ファン室（36）には、給気ファン（26）の下側に給気側取付部材（101）が設けられている。給気側取付部材（101）は、台座（104）と取付板（105）とを有している。台座（104）は、台座本体部（104a）とあて板部（104b）とで構成されている。台座本体部（104a）は、上下に扁平な直方体状に形成されており、その左右方向の長さが上記支持板（86b）の左右方向の長さと概ね等しくなっている。また、台座本体部（104a）は、その前後方向の長さが上記支持板（86b）の前後方向の長さよりも大きくなっている。
【００８４】
あて板部（104b）は、台座本体部（104a）の前後の側面の下端部から延出する板状に形成されている。各あて板部（104b）は、水平な姿勢でケーシング（11）の底板と当接する。この状態のあて板部（104b）がケーシング（11）の底板にビス止め又はスポット止めされることで、台座（104）が底板に固定される。
【００８５】
取付板（105）は、左右に延びる横板部（105a）と、横板部（105a）の左右端部に形成される一対の押さえ板部（105b,105b）とを有している。横板部（105a）は、その左右方向の長さが上記支持板（86b）の左右方向の長さと概ね等しくなっている。横板部（105a）は、台座本体部（104a）の後端面に沿うようにして台座（104）の上面にビス止め又はスポット止めされる。一対の押さえ板部（105b,105b）は、横板部（105a）の左右端部から前方に突出し、且つ横板部（105a）よりもやや上方に位置するように折り曲げられている。これにより、各押さえ板部（105b,105b）と台座（104）との間には、上記支持板（86b）が係合可能な係合溝が形成されている。
【００８６】
給気ファン（26）は、上記台座（104）の上側で給気側取付部材（101）に保持される状態で、ケーシング（11）に固定される。具体的に、給気ファン（26）のファンケーシング（86）は、その支持板（86b）の左右両端の後端部が上記押さえ板部（105b,105b）の下側に係合して位置決めされる。この状態のファンケーシング（86）では、支持板（86b）の左右両端の前端部と台座（104）とがビス（108,108）によってそれぞれ固定される。また、この状態のファンケーシング（86）では、上記曲板部（86c）と第１側面パネル部（14）とがビス（108）によって固定される。また、ファンケーシング（86）には、上記曲板部（86c）の反対側（後側）にも同様の曲板部が形成されている。この曲板部は、第１側面パネル部（14）の内壁に形成された押さえ板部に保持されている（図示省略）。
【００８７】
以上のように、給気ファン（26）のファンケーシング（86）は、取付板（105）に保持されるよう状態で、その下端部が２点止めされ、且つ吹出口（88）の近傍の部位が１点止めされる。つまり、給気ファン（26）は、その３点がケーシング（11）に締結されている。
【００８８】
また、給気側取付部材（101）では、上記台座（104）によって給気ファン（26）の吸入口（87）の高さ位置が調節されている。具体的に、給気ファン室（36）は、ケーシング（11）の天板寄りに形成される上記給気側通路（31）と繋がっている（図２を参照）。これに対し、給気ファン（26）の吸入口（87）は、給気側通路（31）から近くなるように上方寄りに開口している方が、給気ファン（26）の通風抵抗を低減する上で好ましい。そこで、本実施形態では、給気ファン（26）の下側に台座（104）を設置することで、例えば給気ファン（26）自体の大型化を図ることなく、給気ファン（26）の吸入口（87）の高さ位置を上方寄りに調節するようにしている。これにより、給気ファン（26）は比較的小さいサイズとなり、給気ファン（26）の出し入れ（メンテナンス）も容易となる。
【００８９】
また、このように台座（104）を設けると、詳細は後述する給気ファン（26）の出し入れが容易となる。即ち、ケーシング（11）の前面パネル部（12）では、各開閉パネル（18,19）を取り付ける必要があるため、ケーシング（11）の底板の端部に開閉パネル（18,19）の取り付け用の折り返し面（11b）が形成されている（図７を参照）。従って、例えば給気ファン（26）をケーシング（11）の底板にそのまま設置すると、給気ファン（26）の引き出し時において折り返し面（11a）を乗り越えるように給気ファン（26）を持ち上げる必要がある。しかし、本実施形態のように台座（104）を設けて給気ファン（26）を折り返し面（11b）よりも高い位置に設置すると、給気ファン（26）を台座（104）上面でスライドさせるだけで、折り返し面（11b）を越えて給気ファン（26）の出し入れをすることができる。
【００９０】
図８に示すように、排気ファン室（35）には、排気ファン（25）の下側に排気側取付部材（102）が設けられている。排気側取付部材（102）は、上記給気側取付部材と同様の取付板（105）を有している一方、上記台座（104）を有していない。そして、排気側取付部材（102）では、上述と同様の取付板（105）がケーシング（11）の底板に直接ビス止めされている。
【００９１】
排気ファン（25）は、排気側取付部材（102）に保持される状態で、ケーシング（11）の底板に直接固定される。具体的に、排気ファン（25）のファンケーシング（86）は、その支持板（86b）の左右両端の後端部が上記押さえ板部（105b,105b）の下側に係合して位置決めされる。この状態のファンケーシング（86）では、支持板（86b）の左右両端の前端部とケーシング（11）の底板とがビス（108,108）によってそれぞれ固定される。また、この状態のファンケーシング（86）では、上記曲板部（86c）と第２側面パネル部（15）とがビス（108）によって固定される。また、ファンケーシング（86）には、上記曲板部（86c）の反対側（後側）にも同様の曲板部が形成されている。この曲板部は、第２側面パネル部（15）の内壁に形成された押さえ板部に保持されている（図示省略）。以上のように、排気ファン（25）のファンケーシング（86）は、取付板（105）に保持されるよう状態で、その下端部が２点止めされ、且つ吹出口（88）の近傍の部位が１点止めされる。つまり、排気ファン（25）は、その３点がケーシング（11）に締結されている。
【００９２】
上述のように、排気側取付部材（102）には、台座（104）が設けられておらず、排気ファン（25）はケーシング（11）の底板に直接設置されている。これにより、排気ファン（25）の吸入口（87）が比較的低い位置となり、吸入口（87）と排気側通路（33）とが近くなる。その結果、上述した給気ファン（26）と同様にして、排気ファン（25）の通風抵抗を低減される。
【００９３】
〈圧縮機とその周辺配管の取付構造〉
図９に示すように、上記圧縮機（53）は、縦置き型に構成されており、第３開口部（12a）の近傍に立設している。圧縮機（53）は、その下側の支持台（111）が圧縮機支持ユニット（110）に設置されている。圧縮機支持ユニット（110）には、３本の防振材（112）とスライド部材（113）と一対のレール部材（114,114）とが設けられている。
【００９４】
圧縮機（53）の支持台（111）は、扁平な略三角柱状に形成され、その３つの頂部に上記防振材（112）がそれぞれ取り付けられている。防振材（112）は、例えばゴムマウント等の弾性材料で構成されている。
【００９５】
上記スライド部材（113）は、扁平で上面が開放される容器状に形成されている。そして、スライド部材（113）の内部には、上記防振材（112）の下端が固定されている。つまり、スライド部材（113）は、圧縮機（53）を下側から支持している。スライド部材（113）には、その左右の側辺にそれぞれガイド板（113a,113a）が形成されている。
【００９６】
一対のレール部材（114,114）は、その外形が前後に縦長の略四角柱状に形成されている。一対のレール部材（114,114）は、前面パネル部（12）に垂直で、且つ第１側面パネル部（14）に平行な姿勢でケーシング（11）の底板に敷設されている。そして、一対のレール部材（114,114）の間に上記スライド部材（113）が保持されている。
【００９７】
具体的に、一対のレール部材（114）の間には、スライド部材（113）の底部が嵌り込んでいる。この状態では、スライド部材（113）のガイド板（113a,113a）が、各レール部材（114,114）の上面と当接する。そして、この状態の各ガイド板（113a,113a）が、各レール部材（114,114）にビス（109）によって締結されることで、スライド部材（113）がレール部材（114,114）に保持される。
【００９８】
また、２つの上記ガイド板（113a,113a）のうちの一方の後端部には切り欠き（113b）が形成されている。そして、レール部材（114）では、この切り欠き（113b）に対応する位置に捨てビス（109a）が直接締結されている。切り欠き（113b）を有する側のガイド板（113a）の後端が捨てビス（109a）の頭部に当接することで、スライド部材（113）の位置決めがなされる。これにより、レール部材（114）側のビス穴とスライド部材（113）側のビス穴とが一致するので、各ビス（109）の締結が容易となる。
【００９９】
一方、上記ビス（109）が外された状態のスライド部材（113）は、レール部材（114,114）に案内されながら該レール部材（114）の長手方向に進退自在となっている。つまり、スライド部材（113）は、圧縮機（53）を保持するような状態で前後方向にスライド自在となっており、第３開口部（12a）を通じてケーシング（11）の外部へ引き出し可能に構成されている。
【０１００】
また、レール部材（114,114）の高さは、スライド部材（113）の底面が上述した折り返し面（11a）の上端よりも高い位置となるように設定されている。これにより、レール部材（114,114）に沿ってスライド部材（113）を進退させる際には、スライド部材（113）が折り返し面（11a）に干渉してしまうことがない。
【０１０１】
同図に示すように、圧縮機（53）には、その頂部に上記吐出管（53a）が接続されている。吐出管（53a）の途中には、上述した第１フレア継手（64）が設けられている。また、圧縮機（53）には、その胴部の外周面に上記吸入管（53b）が接続されている。吸入管（53b）の途中には、上述したアキュムレータ（56）及び第２フレア継手（65）が設けられている。第１フレア継手（64）及び第２フレア継手（65）は、前面パネル部（12）の近傍に配置されている。具体的に、第１フレア継手（64）及び第２フレア継手（65）は、圧縮機（53）の背面（後面）側端部よりも前面パネル部（12）寄りに配置されている。
【０１０２】
圧縮機（53）の吐出管（53a）には、第１フレア継手（64）よりも圧縮機（53）の吐出側寄りに吐出管温度センサ（53c）が設けられている。また、圧縮機（53）の吸入管（53b）には、第２フレア継手（65）よりも圧縮機（53）の吐出側寄りに吸入管温度センサ（53d）が設けられている。吐出管温度センサ（53c）と吸入管温度センサ（53b）は、サーミスタで構成され、対応する部位を流れる冷媒の温度を検出する温度検出手段を構成している。なお、吐出管温度センサ（53c）を第１フレア継手（64）よりも四方切換弁（54）寄りに配置しても良く、吸入管温度センサ（53d）を第２フレア継手（64）よりも四方切換弁（54）寄りに配置しても良い。
【０１０３】
給気ファン室（36）には、圧縮機（53）の背面側に上述した四方切換弁（54）が配設されている。四方切換弁（54）では、その下部の右側寄りに上記第３ポートが設けられ、その下部の左側寄りに上記第４ポートが設けられている。
【０１０４】
四方切換弁（54）の第３ポートには、第１連絡配管（58）の一端が接続されている。第１連絡配管（58）の他端側は、下流側仕切板（72）の右端側寄りの部位を貫通し、第１吸着熱交換器（51）側へ導かれている（図３を参照）。第１連絡配管（58）には、給気ファン室（36）における下流側仕切板（72）の近傍に、上記第３フレア継手（66）が設けられている。また、第１連絡配管（58）には、その途中に第１分岐管（58a）が接続されている。第１分岐管（58a）は、第１連絡配管（58）から分岐して圧縮機（53）の背面側を回り込んで前方へ延びている。そして、第１分岐管（58a）の終端に上記第１サービスポート（68）が設けられている。更に、第１連絡配管（58）には、サーミスタから成る冷媒温度センサ（53e）が設けられている。
【０１０５】
四方切換弁（54）の第４ポートには、第２連絡配管（59）の一端が接続されている。第２連絡配管（59）の他端側は、下流側仕切板（72）の中央よりも右側寄りの部位を貫通し、第２吸着熱交換器（52）側へ導かれている（図２及び図３を参照）。第２連絡配管（59）には、給気ファン室（36）における下流側仕切板（72）の近傍に、上記第４フレア継手（67）が設けられている。また、第２連絡配管（59）には、その途中に第２分岐管（59a）が接続されている。第２分岐管（59a）は、第２連絡配管（59）から分岐して、上記第１分岐管（58a）と同様に圧縮機（53）の背面側を回り込んで前方へ延びている。そして、第２分岐管（59a）の終端に上記第２サービスポート（69）が設けられている。
【０１０６】
第１サービスポート（68）及び第２サービスポート（69）は、第３開口部（12a）に面するように配置されている。また、給排気仕切板（77）には、その右側の面に上記第１サービスポート（68）及び第２サービスポート（69）を一体的に保持する保持板（80）が設けられている。
【０１０７】
給気ファン室（36）では、上述した第１から第４までのフレア継手（64,65,66,67）によって、圧縮機（53）が冷媒回路（50）から着脱自在に構成されている。具体的に、図９に示す状態において、例えば第１フレア継手（64）の連結を解除し、且つ第２フレア継手（65）の連結を解除すると、圧縮機（53）は、吐出管（53a）、吸入管（53b）、及びアキュムレータ（56）と共に冷媒回路（50）から切り離される状態となる。即ち、この状態では、冷媒回路（50）の冷媒配管及び構成機器のうち、圧縮機（53）、吐出管（53a）、吸入管（53b）、及びアキュムレータ（56）が上記スライド部材（113）と共に引き出し可能なユニット（可動ユニット）になる。そして、給気ファン室（36）においては、四方切換弁（54）、第１連絡配管（58）、第２連絡配管（59）、第１分岐管（58a）、及び第２分岐管（59a）がケーシング（11）に固定されたままのユニット（固定ユニット）になる。ここで、このような固定ユニットの冷媒配管や構成機器は、可動ユニットの進退を許容するように配設されている。つまり、固定ユニット側の冷媒配管や構成機器は、可動ユニットの冷媒配管や構成機器の前側（第３開口部側）を避けるように配設されている。従って、可動ユニットの引き出し時において、固定ユニットが干渉してしまうこともない。このような圧縮機（53）等の引き出し作業（メンテナンス作業）の詳細は後述する。
【０１０８】
−運転動作−
本実施形態の調湿装置（10）は、除湿換気運転と、加湿換気運転と、単純換気運転とを選択的に行う。除湿換気運転中や加湿換気運転中の調湿装置（10）は、取り込んだ室外空気（OA）を湿度調節してから供給空気（SA）として室内へ供給すると同時に、取り込んだ室内空気（RA）を排出空気（EA）として室外へ排出する。一方、単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。
【０１０９】
〈除湿換気運転〉
除湿換気運転中の調湿装置（10）では、後述する第１動作と第２動作が所定の時間間隔（例えば３分間隔）で交互に繰り返される。この除湿換気運転中において、第１バイパス用ダンパ（83）及び第２バイパス用ダンパ（84）は、常に閉状態となる。
【０１１０】
除湿換気運転中の調湿装置（10）において、給気ファン（26）を運転すると、室外空気が外気吸込口（24）からケーシング（11）内へ第１空気として取り込まれる。また、排気ファン（25）を運転すると、室内空気が内気吸込口（23）からケーシング（11）内へ第２空気として取り込まれる。
【０１１１】
先ず、除湿換気運転の第１動作について説明する。図１０に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。
【０１１２】
この第１動作中の冷媒回路（50）では、図６(Ａ)に示すように、四方切換弁（54）が第１状態に設定される。この状態の冷媒回路（50）では、冷媒が循環して冷凍サイクルが行われる。その際、冷媒回路（50）では、圧縮機（53）から吐出された冷媒が第１吸着熱交換器（51）、電動膨張弁（55）、第２吸着熱交換器（52）の順に通過し、第１吸着熱交換器（51）が凝縮器となって第２吸着熱交換器（52）が蒸発器となる。
【０１１３】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【０１１４】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【０１１５】
次に、除湿換気運転の第２動作について説明する。図１１に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。
【０１１６】
この第２動作中の冷媒回路（50）では、図６(Ｂ)に示すように、四方切換弁（54）が第２状態に設定される。この状態の冷媒回路（50）では、冷媒が循環して冷凍サイクルが行われる。その際、冷媒回路（50）では、圧縮機（53）から吐出された冷媒が第２吸着熱交換器（52）、電動膨張弁（55）、第１吸着熱交換器（51）の順に通過し、第１吸着熱交換器（51）が蒸発器となって第２吸着熱交換器（52）が凝縮器となる。
【０１１７】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【０１１８】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【０１１９】
〈加湿換気運転〉
加湿換気運転中の調湿装置（10）では、後述する第１動作と第２動作が所定の時間間隔（例えば３分間隔）で交互に繰り返される。この加湿換気運転中において、第１バイパス用ダンパ（83）及び第２バイパス用ダンパ（84）は、常に閉状態となる。
【０１２０】
加湿換気運転中の調湿装置（10）において、給気ファン（26）を運転すると、室外空気が外気吸込口（24）からケーシング（11）内へ第２空気として取り込まれる。また、排気ファン（25）を運転すると、室内空気が内気吸込口（23）からケーシング（11）内へ第１空気として取り込まれる。
【０１２１】
先ず、加湿換気運転の第１動作について説明する。図１２に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。
【０１２２】
この第１動作中の冷媒回路（50）では、図６(Ａ)に示すように、四方切換弁（54）が第１状態に設定される。そして、この冷媒回路（50）では、除湿換気運転の第１動作中と同様に、第１吸着熱交換器（51）が凝縮器となって第２吸着熱交換器（52）が蒸発器となる。
【０１２３】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【０１２４】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【０１２５】
次に、加湿換気運転の第２動作について説明する。図１３に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。
【０１２６】
この第２動作中の冷媒回路（50）では、図６(Ｂ)に示すように、四方切換弁（54）が第２状態に設定される。そして、この冷媒回路（50）では、除湿換気運転の第２動作中と同様に、第１吸着熱交換器（51）が蒸発器となって第２吸着熱交換器（52）が凝縮器となる。
【０１２７】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【０１２８】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【０１２９】
〈単純換気運転〉
単純換気運転中における調湿装置（10）の動作について、図１４を参照しながら説明する。この単純換気運転は、外気をそのまま室内へ供給しても室内の快適性が損なわれない時期（例えば、春季や秋季などの中間期）に行われる。つまり、この単純換気運転は、室内へ供給される空気の湿度調節は不要であるが、室内の換気は行う必要がある場合に実行される。
【０１３０】
この単純換気運転では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（50）の圧縮機（53）は停止状態となる。つまり、単純換気運転中において、冷媒回路（50）での冷凍サイクルは行われない。
【０１３１】
単純換気運転中の調湿装置（10）において、給気ファン（26）を運転すると、室外空気が外気吸込口（24）からケーシング（11）内へ取り込まれる。外気吸込口（24）を通って外気側通路（34）へ流入した室外空気は、外気側フィルタ（28）を通過後に第１バイパス通路（81）へ流入し、第１バイパス用ダンパ（83）を通って給気ファン室（36）へ流入する。給気ファン室（36）へ流入した室外空気は、給気ファン（26）へ吸い込まれ、給気口（22）を通って室内へ供給される。
【０１３２】
また、単純換気運転中の調湿装置（10）において、排気ファン（25）を運転すると、室内空気が内気吸込口（23）からケーシング（11）内へ取り込まれる。内気吸込口（23）を通って内気側通路（32）へ流入した室内空気は、内気側フィルタ（27）を通過後に第２バイパス通路（82）へ流入し、第２バイパス用ダンパ（84）を通って排気ファン室（35）へ流入する。排気ファン室（35）へ流入した室内空気は、排気ファン（25）へ吸い込まれ、排気口（21）を通って室外へ排出される。
【０１３３】
−給気ファン及び排気ファンのメンテナンス作業−
次に、給気ファン（26）や排気ファン（25）をケーシング（11）の外部へ取り出して修理等のメンテナンスを行う作業について説明する。
【０１３４】
給気ファン（26）のメンテナンス時には、前面パネル部（12）において、電装品箱（90）及び第３開閉パネル（18）を取り外し、第３開口部（12a）を開放させる。その結果、図７に示すように、給気ファン（26）がケーシング（11）の外部へ露出される状態となる。この状態において、ファンケーシング（86）の支持板（86b）の２本のビス（108）を取り外し、更に曲板部（86c）の１本のビス（108）を取り外す。この状態から、給気ファン（26）を手前に引き出すことで、第３開口部（12a）を通じて給気ファン（26）をケーシング（11）の外部へ取り出すことができる。
【０１３５】
給気ファン（26）のメンテナンスが終了した後には、給気ファン（26）を第３開口部（12a）を通じてケーシング（11）の内部に押し込み、元の位置に戻す。つまり、ファンケーシング（86）の支持板（86b）を取付板（105）の押さえ板部（105b）の下側に係合させながら横板部（105a）に当接させる。この状態で、ファンケーシング（86）の支持板（86b）を２本のビス（108）でビス止めし、同時に曲板部（86c）を１本のビス（108）でビス止めする。その結果、給気ファン（26）がケーシング（11）に固定される。
【０１３６】
排気ファン（25）のメンテナンス時には、前面パネル部（12）において、第４開閉パネル（19）を取り外し、第４開口部（12b）を開放させる。その結果、図８に示すように、排気ファン（25）がケーシング（11）の外部へ露出される状態となる。その後の作業においては、上記給気ファン（26）と同様である。
【０１３７】
−圧縮機のメンテナンス作業について−
次に、圧縮機（53）や、圧縮機（53）の周辺の冷媒配管等のメンテナンスを行う作業について説明する。
【０１３８】
給気ファン（26）のメンテナンス時には、前面パネル部（12）において、電装品箱（90）及び第３開閉パネル（18）を取り外し、第３開口部（12a）を開放させる。その結果、図９に示すように、圧縮機（53）やその周辺の冷媒配管がケーシング（11）の外部へ露出される状態となる。
【０１３９】
この状態において、主として圧縮機（53）のメンテナンスを行う場合には、第１フレア継手（64）及び第２フレア継手（65）の連結をそれぞれ解除する。その結果、上述のように、圧縮機（53）、吐出管（53a）、吸入管（53b）、及びアキュムレータ（56）が一体的な上記可動ユニットとなり、四方切換弁（54）、第１連絡配管（58）、第２連絡配管（59）、第１分岐管（58a）、及び第２分岐管（59a）が固定ユニットとなる。次に、スライド部材（113）のガイド板（113a）のビス（109）の締結を解除する。この状態からスライド部材（113）を前方へスライドさせると、可動ユニットが第３開口部（12a）を通じてケーシング（11）の外部へ引き出される（図１５を参照）。その結果、圧縮機（53）や、アキュムレータ（56）のメンテナンスを簡便に行うことができる。メンテナンスの終了後には、スライド部材（113）を後方へスライドさせて元の位置に戻し、第１フレア継手（64）及び第２フレア継手（65）をそれぞれ締結して連結させる。加えて、スライド部材（113）のガイド板（113a）のビス（109）を締結する（図９を参照）。
【０１４０】
また、図９に示す状態において、圧縮機（53）や他の構成機器（例えば四方切換弁（54）や各連絡配管（58,59）等）のメンテナンスを行う場合には、第３フレア継手（66）及び第４フレア継手（67）の連結をそれぞれ解除することもできる。この場合、第１フレア継手（64）及び第２フレア継手（65）は連結状態のままである。このようにすると、給気ファン室（36）に収容される全ての構成機器及び冷媒配管がスライド部材（113）に支持される可動ユニットとなる。この状態からビス（109）の締結を解除してスライド部材（113）を前方へスライドさせると、可動ユニットが第３開口部（12a）を通じてケーシング（11）の外部へ引き出される（図１６を参照）。その結果、圧縮機（53）や、アキュムレータ（56）だけでなく、四方切換弁（54）や他の構成機器、あるいはその他の冷媒配管等のメンテナンスを簡便に行うことができる。メンテナンスの終了後には、スライド部材（113）を後方へスライドさせて元の位置に戻し、第３フレア継手（66）及び第４フレア継手（67）をそれぞれ締結して連結させる。加えて、スライド部材（113）のガイド板（113a）のビス（109）を締結する（図９を参照）。
【０１４１】
−実施形態の効果−
上記実施形態では、前面パネル部（12）の第３開口部（12a）に臨む給気ファン室（36）に圧縮機（53）を設けると共に、この圧縮機（53）を第３開口部（12a）からケーシング（11）の外部へ引き出し可能に構成している。即ち、各フレア継手（64,65,66,67）の連結を解除して圧縮機（53）を冷媒回路（50）から切り離した後、この圧縮機（53）を第３開口部（12a）を通じてケーシング（11）の外部へ容易に取り出すことができる。従って、圧縮機（53）の交換や修理等を簡便に行うことができ、この調湿装置（10）のメンテナンス性を向上できる。
【０１４２】
また、スライド部材（113）に圧縮機（53）を保持させ、スライド部材（113）を圧縮機（53）の引き出し方向にスライド自在としている。このため、圧縮機（53）を持ち上げることなく、スライド部材（113）を第３開口部（12a）側にスライドさせて圧縮機（53）を機外へ取り出すことができる。従って、比較的大重量の圧縮機（53）であっても、ケーシング（11）の外部への取り出しやケーシング（11）内への入れ込みを容易に行うことができる。
【０１４３】
また、第３開口部（12a）に対して奥側に２つの熱交換器室（37,38）を区画する一方、第３開口部（12a）に対して手前側に給気ファン室（36）を区画するようにして、この給気ファン室（36）に圧縮機（53）を配置している。従って、２つの吸着熱交換器（51,52）の干渉を受けることなく、圧縮機（53）を第３開口部（12a）側へ引き出すことができる。更に、各フレア継手（64,65,66,67）を給気ファン室（36）に配置したので、第３開口部（12a）側から各フレア継手（64,65,66,67）の着脱作業を容易に行うことができる。
【０１４４】
更に、圧縮機（53）の吐出管（53a）に第１フレア継手（64）を設け、吸入管（53b）に第２フレア継手（65）を設けることで、これらの吐出管（53a）及び吸入管（53b）以外の冷媒配管を機内に残したまま圧縮機（53）をケーシング（11）の外部へ取り出すことができる。従って、圧縮機（53）の引き出しに要するスペースを小さくでき、且つ圧縮機（53）と共に引き出される冷媒配管の重量も最低限に抑えることができる。その結果、調湿装置のメンテナンス性を更に向上できる。また、特に着脱作業を行う上記第１フレア継手（64）及び第２フレア継手（65）を第３開口部（12a）に臨むように配置したので、第３開口部（12a）側から両フレア継手（64,65）の着脱作業を容易に行うことができ、調湿装置（10）のメンテナンス性が更に向上できる。
【０１４５】
また、上記給気ファン（26）及び排気ファン（25）を圧縮機（53）と同一の側面（即ち、前面パネル部（12））側から引き出せるようにしたので、これらの構成機器（25,26,53）のメンテナンス用のスペースを最小限に抑えることができ、調湿装置（10）の設置位置の自由度も向上できる。
【０１４６】
《その他の実施形態》
上記実施形態については、以下のような構成としてもよい。
【０１４７】
上記実施形態において、継手部材を構成するフレア継手（64,65,66,67）の数量や設置箇所は上記の例に限られない。また、継手部材としてフレア継手以外の他の継手を用いるようにしても良い。
【０１４８】
また、上記実施形態では、給気ファン（26）が収容される給気ファン室（36）に圧縮機（53）を配置しているが、排気ファン（25）が収容される排気ファン室（35）に圧縮機（53）を配置しても良い。この場合には、排気ファン室（35）をケーシング（11）の外部へ開放させた状態として、排気ファン（25）や圧縮機（53）の引き出し作業を行うことができる。
【０１４９】
なお、以上の実施形態は、本質的に好ましい例示であって、本発明、その適用物、あるいはその用途の範囲を制限することを意図するものではない。
【産業上の利用可能性】
【０１５０】
以上説明したように、本発明は、室内の湿度調節を行うための調湿装置について有用である。
【図面の簡単な説明】
【０１５１】
【図１】前面側から見た調湿装置をケーシングの天板を省略して示す斜視図である。
【図２】前面側から見た調湿装置をケーシングの一部および電装品箱を省略して示す斜視図である。
【図３】調湿装置をケーシングの天板を省略して示す平面図である。
【図４】背面側から見た調湿装置をケーシングの天板を省略して示す斜視図である。
【図５】調湿装置の一部を省略して示す概略の平面図、右側面図、及び左側面図である。
【図６】冷媒回路の構成を示す配管系統図であって、(Ａ)は第１動作中の動作を示すものであり、(Ｂ)は第２動作中の動作を示すものである。
【図７】第３開閉パネルを取り外した状態において、給気ファンの近傍を拡大した斜視図である。
【図８】第４開閉パネルを取り外した状態において、排気ファンの近傍を拡大した斜視図である。
【図９】第３開閉パネルを取り外した状態において、圧縮機の近傍を拡大した斜視図である。
【図１０】除湿換気運転の第１動作における空気の流れを示す調湿装置の概略の平面図、右側面図、及び左側面図である。
【図１１】除湿換気運転の第２動作における空気の流れを示す調湿装置の概略の平面図、右側面図、及び左側面図である。
【図１２】加湿換気運転の第１動作における空気の流れを示す調湿装置の概略の平面図、右側面図、及び左側面図である。
【図１３】加湿換気運転の第２動作における空気の流れを示す調湿装置の概略の平面図、右側面図、及び左側面図である。
【図１４】単純換気運転における空気の流れを示す調湿装置の概略の平面図、右側面図、及び左側面図である。
【図１５】圧縮機のメンテナンス作業時における第１の例を示す斜視図である。
【図１６】圧縮機のメンテナンス作業時における第２の例を示す斜視図である。
【符号の説明】
【０１５２】
11      ケーシング
12a     第３開口部（メンテナンス開口部）
25      排気ファン（送風ファン）
26      給気ファン（送風ファン）
36      収容室（給気ファン室）
37      第１熱交換器室（熱交換器室）
38      第２熱交換器室（熱交換器室）
50      冷媒回路
51      第１吸着熱交換器（吸着熱交換器）
52      第２吸着熱交換器（吸着熱交換器）
53      圧縮機
64      第１フレア継手（継手部材）
65      第２フレア継手（継手部材）
66      第３フレア継手（継手部材）
67      第４フレア継手（継手部材）
113     スライド部材
【図１】
0005109591.tif 000002
【図２】
0005109591.tif 000003
【図３】
0005109591.tif 000004
【図４】
0005109591.tif 000005
【図５】
0005109591.tif 000006
【図６】
0005109591.tif 000007
【図７】
0005109591.tif 000008
【図８】
0005109591.tif 000009
【図９】
0005109591.tif 000010
【図１０】
0005109591.tif 000011
【図１１】
0005109591.tif 000012
【図１２】
0005109591.tif 000013
【図１３】
0005109591.tif 000014
【図１４】
0005109591.tif 000015
【図１５】
0005109591.tif 000016
【図１６】
0005109591.tif 000017